(57)【特許請求の範囲】
【請求項１】
頭皮のマッサージを行うために使用する頭皮マッサージ用手袋において、
手袋本体の手の平側に薬液を貯留するための袋状の薬液貯留層を形成し、薬液貯留層に外部とを連通する貫通孔を形成し、その貫通孔に毛状体を植設したことを特徴とする頭皮マッサージ用手袋。
【請求項２】
前記薬液貯留層は、表面に凸部を形成し、凸部に前記毛状体を植設した貫通孔を形成して凸部同士の間の表面を薄肉状としたことを特徴とする請求項１に記載の頭皮マッサージ用手袋。
【請求項３】
前記薬液貯留層は、前記凸部の内側に貫通孔へ通じる連通孔を形成したことを特徴とする請求項２に記載の頭皮マッサージ用手袋。
【発明の詳細な説明】
【技術分野】
【０００１】
本発明は、頭皮のマッサージを行うために使用する頭皮マッサージ用手袋に関するものである。
【背景技術】
【０００２】
従来より、頭皮のマッサージを行うための道具として頭皮マッサージ用手袋が開発されている。
【０００３】
従来の頭皮マッサージ用手袋は、手を挿入するための手袋本体の手の平側の表面に複数の突起を形成した構成となっている（たとえば、特許文献１参照。）。
【先行技術文献】
【特許文献】
【０００４】
【特許文献１】特開平１０−１６８６２２号公報
【発明の概要】
【発明が解決しようとする課題】
【０００５】
ところが、上記従来の頭皮マッサージ用手袋では、育毛等の効能を有する薬液を用いて頭皮をマッサージするためには、予め頭皮に薬液を塗布した後に、頭皮マッサージ用手袋で頭皮をマッサージしなければならず、使い勝手が良好なものではなかった。
【０００６】
特に、上記従来の頭皮マッサージ用手袋では表面に突起を形成しているために、毛髪との摩擦によって毛髪が抜けてしまうおそれがあるとともに、薬液を頭皮全体の毛根内部にまで均等かつ円滑に浸透させることができなかった。
【課題を解決するための手段】
【０００７】
そこで、請求項１に係る本発明では、頭皮のマッサージを行うために使用する頭皮マッサージ用手袋において、手袋本体の手の平側に薬液を貯留するための袋状の薬液貯留層を形成し、薬液貯留層に外部とを連通する貫通孔を形成し、その貫通孔に毛状体を植設することにした。
【０００８】
また、請求項２に係る本発明では、前記請求項１に係る本発明において、前記薬液貯留層は、表面に凸部を形成し、凸部に前記毛状体を植設した貫通孔を形成して凸部同士の間の表面を薄肉状とすることにした。
【０００９】
また、請求項３に係る本発明では、前記請求項２に係る本発明において、前記薬液貯留層は、前記凸部の内側に貫通孔へ通じる連通孔を形成することにした。
【発明の効果】
【００１０】
そして、本発明では、以下に記載する効果を奏する。
【００１１】
すなわち、本発明では、頭皮のマッサージを行うために使用する頭皮マッサージ用手袋において、手袋本体の手の平側に薬液を貯留するための袋状の薬液貯留層を形成し、薬液貯留層の手の平側の表面に貫通孔を形成し、貫通孔に毛状体を植設することにしているために、頭皮の表面で指を動かすだけで頭皮に薬液を塗布しながら頭皮のマッサージを行うことができるので、頭皮マッサージ用手袋の使い勝手を向上させることができる。
【００１２】
また、薬液貯留層に形成した貫通孔に毛状体を植設した構成となっているために、毛細管現象によって薬液を均等かつ円滑に頭皮全体の毛根内部にまで浸透させることができ、毛髪との摩擦が少なく脱毛のおそれもない。
【００１３】
特に、薬液貯留層の手の平側の表面に凸部を形成し、凸部に前記毛状体を植設した貫通孔を形成して凸部同士の間の表面を薄肉状とした場合には、肉厚の凸部で毛状体を強固に保持することができるとともに、凸部同士の間に形成された薄肉部分が柔軟に変形することで指を良好に動かして頭皮をマッサージすることができる。
【００１４】
また、薬液貯留層の凸部の内側に貫通孔へ通じる連通孔を形成した場合には、薬液を連通孔を介して貫通孔（毛状体）から排出させることができるので、凸部同士の間に薬液が残留してしまうのを防止することができる。
【図面の簡単な説明】
【００１５】
【図１】本発明に係る頭皮マッサージ用手袋を示す正面図（ａ）、側面図（ｂ）。
【図２】同断面拡大図。
【図３】同断面拡大図。
【発明を実施するための形態】
【００１６】
以下に、本発明に係る頭皮マッサージ用手袋の具体的な構成について図面を参照しながら説明する。
【００１７】
図１に示すように、頭皮マッサージ用手袋１は、手を挿入するための手袋本体２を袋状に形成し、手袋本体２の手の平側に育毛等の効能を有する薬液を貯留するための袋状の薬液貯留層３を形成し、薬液貯留層３の手の平側の表面４に複数本の毛を束ねた毛状体５を植設するとともに、薬液貯留層３に薬液を注入するための注入口６を形成している。
【００１８】
この頭皮マッサージ用手袋１は、図２（ａ）に示すように、薬液貯留層３の手の平側の表面４に複数の貫通孔７を形成し、各貫通孔７に毛状体５を外側から内側へ向けて圧入することで植毛している。
【００１９】
これにより、頭皮マッサージ用手袋１は、薬液を貯留させた薬液貯留層３と外部とが貫通孔７を介して連通しており、その貫通孔７に毛状体５が充填された状態となっている。
【００２０】
そのため、頭皮マッサージ用手袋１は、薬液貯留層３の貯留させた薬液を貫通孔７から外部に毛状体５の毛細管現象を利用して排出させることができるとともに、手袋本体２に挿入した指を動かすことによって毛状体５で頭皮をマッサージすることができるようになっている。
【００２１】
頭皮マッサージ用手袋１は、基本的には以上に説明した構成とすることができるが、上記構成に限定されるものではない。
【００２２】
たとえば、図２（ａ）に示したように薬液貯留層３の表面４で毛状体５を強固に保持できるようにするためには表面４の肉厚が厚くなり指が動かし難くなるおそれがあるため、図２（ｂ）に示すように、薬液貯留層３の手の平側の表面4aに外側に凸状の凸部8aを形成し、凸部8aに毛状体５を植設する貫通孔７を形成して凸部8aと凸部8aとの間の表面4aに薄肉状の凹部9aを形成して、指を動かしやすいようにしてもよい。
【００２３】
また、図２（ｃ）に示すように、薬液貯留層３の手の平側の表面4bに内側に凸状の凸部8bを形成し、凸部8bに毛状体５を植設する貫通孔７を形成して凸部8bと凸部8bとの間の表面4bに薄肉状の凹部9bを形成して、指を動かしやすいようにしてもよく、さらに、図２（ｄ）に示すように、薬液貯留層３の手の平側の表面4cに内側及び外側に凸状の凸部8cを形成し、凸部8cに毛状体５を植設する貫通孔７を形成して凸部8cと凸部8cとの間の表面4cに薄肉状の凹部9cを形成して、指を動かしやすいようにしてもよい。この場合には、薬液貯留層３の手の平側の表面4b,4cに凹部9b,9cが形成されることになり、凹部9b,9cに薬液が残留してしまうおそれがあるため、凸部8b,8cの内側に貫通孔７（毛状体５）へと通じる連通孔10b,10cを形成するようにしてもよい。
【００２４】
また、図２（ａ）に示したように薬液貯留層３の表面４に形成した貫通孔７に毛状体５を直接植毛することで貫通孔７に毛状体５を植設した場合に限られず、図３（ａ）に示すように、毛状体５を直接植毛したベースシート11を薬液貯留層３の手の平側の表面４の内側に貼着し、毛状体５を貫通孔７に内側から外側に向けて挿通させることで表面４の貫通孔７に毛状体５を植設するようにしてもよい。
【００２５】
また、図２（ａ）に示したように薬液貯留層３に薬液を注入した場合に限られず、図３（ｂ）に示すように、薬液を浸透させたスポンジ状の薬液貯留体12を薬液貯留層３に挿入するようにしてもよい。
【００２６】
さらに、手袋本体２と薬液貯留層３との間に１層又は複数層の機能層を形成してもよく、図３（ｃ）に示すように、手袋本体２と薬液貯留層３との間に機能層として第２の薬液貯留層13を形成し、薬液貯留層３と第２の薬液貯留層13とを毛状体５の直上方位置に形成した連通孔14で連通し、それぞれの薬液貯留層3,13に貯留した薬液を混合（反応）させながら排出するようにすることもでき、図３（ｄ）に示すように、手袋本体２と薬液貯留層３との間に機能層として弾性体収容層15を形成し、弾性体収容層15にスプリング等の弾性体16を収容して、弾性体16の作用で指が円滑に動くようにしてもよく、この場合に、指の関節部分の表面４を薄肉状に形成して指をより一層動かしやすいようにしてもよい。
【００２７】
以上に説明したように、上記頭皮マッサージ用手袋１は、手袋本体２の手の平側に薬液を貯留するための袋状の薬液貯留層３を形成し、薬液貯留層３の手の平側の表面４に貫通孔７を形成し、貫通孔７に毛状体５を植設した構成となっている。
【００２８】
そのため、上記構成の頭皮マッサージ用手袋１では、頭皮の表面で指を動かすだけで頭皮に薬液を塗布しながら頭皮のマッサージを行うことができ、頭皮マッサージ用手袋１の使い勝手を向上させることができる。
【００２９】
また、上記頭皮マッサージ用手袋１では、毛細管現象によって薬液を均等かつ円滑に頭皮全体の毛根内部にまで浸透させることができ、毛髪との摩擦が少なく脱毛のおそれもない。
【００３０】
また、上記頭皮マッサージ用手袋１は、薬液貯留層３の手の平側の表面4a,4b,4cに凸部8a,8b,8cを形成し、凸部8a,8b,8cに毛状体５を植設した貫通孔７を形成して凸部8a,8b,8c同士の間の表面4a,4b,4cを薄肉状に形成した構成となっている。
【００３１】
そのため、上記構成の頭皮マッサージ用手袋１では、肉厚の凸部8a,8b,8cで毛状体５を強固に保持することができるとともに、凸部8a,8b,8c同士の間に形成された薄肉部分が柔軟に変形することで指を良好に動かして頭皮をマッサージすることができる。
【００３２】
また、上記頭皮マッサージ用手袋１は、薬液貯留層３の凸部8b,8cの内側に貫通孔７へ通じる連通孔10b,10cを形成した構成となっている。
【００３３】
そのため、上記頭皮マッサージ用手袋１では、薬液を連通孔10b,10cを介して貫通孔７（毛状体５）から排出させることができるので、凸部8b,8c同士の間に薬液が残留してしまうのを防止することができる。
【符号の説明】
【００３４】
１  頭皮マッサージ用手袋                  ２  手袋本体
３  薬液貯留層                            4,4a,4b,4c  表面
５  毛状体                                ６  注入口
７  貫通孔                                8a,8b,8c  凸部
9a,9b,9c  凹部                            10b,10c  連通孔
11  ベースシート                          12  薬液貯留体
13  第２の薬液貯留層                      14  連通孔
15  弾性体収容層                          16  弾性体
【図１】
0005785422.tif 000002
【図２】
0005785422.tif 000003
【図３】
0005785422.tif 000004